(57)【要約】【課題】小型化（薄型化）を実現したパネル型の照明手段を用いることにより、写真撮影装置を小型化するとともに、照明手段の配置位置の制約が緩和され、多様な照明効果を容易に得ることができる写真撮影装置及び該写真撮影装置に好適なパネル型照明装置を提供する。【解決手段】本発明に係るパネル型照明装置３０は、アクリル樹脂等からなる薄厚の導光板３１の一面（出射面）に拡散シート３２を、出射面の対向面（反射面）に反射シート３３を、それぞれ導光板３１に密接して配置し、導光板３１の一側面（入射面）に光を入射すべく線状光源３４を配置されている。また、半円形状のＰＥＴフィルムに反射率に優れた材料でコーティングされた反射板３５を線状光源３４の周囲に配置し、導光板方向と異なる方向に出射された出射光を反射させて間接的に導光板３１に入射させ、導光板３１への入射効率を高めるようになしてある。【選択図】        図５
2005003820.tif 000002
【特許請求の範囲】
【請求項１】
被写体を撮影する撮影手段を備え、該撮影手段により撮影した被写体の画像を記録紙上に出力する写真撮影装置において、
前記被写体に光を面状に照射するパネル型の照明手段を備えることを特徴とする写真撮影装置。
【請求項２】
前記照明手段は、入射面より入射された光を伝搬させて出射面から出射する導光板と、該導光板の入射面に対向する光源と、該光源の出射光を反射して前記導光板の入射面に集光する反射板とを備えることを特徴とする請求項１に記載の写真撮影装置。
【請求項３】
前記導光板は、前記出射面から出射する光を前記出射面の法線方向に拡散させる拡散部と、前記出射面の対向面に伝搬した光を反射させる反射部とを備えることを特徴とする請求項２に記載の写真撮影装置。
【請求項４】
前記導光板又は前記反射部は、前記出射面の対向面に伝搬した光を散乱させる散乱パターンを備えることを特徴とする請求項３に記載の写真撮影装置。
【請求項５】
前記照明手段は、箱体と複数の光源とを備えており、
各光源は前記箱体の一内面に配置され、該一内面の対向面から光を出射すべくなしてあることを特徴とする請求項１に記載の写真撮影装置。
【請求項６】
前記光源は点状光源であり、マトリクス状に配置されていることを特徴とする請求項５に記載の写真撮影装置。
【請求項７】
前記光源は線状光源であり、ストライプ状に配置されていることを特徴とする請求項５に記載の写真撮影装置。
【請求項８】
前記照明手段を複数備えており、各照明手段が同一平面上に配置されていることを特徴とする請求項１乃至請求項７のいずれかに記載の写真撮影装置。
【請求項９】
前記被写体の前面、背面、側面、上面、及び下面の少なくともいずれかの面に、前記照明手段が配置されていることを特徴とする請求項１乃至請求項８のいずれかに記載の写真撮影装置。
【請求項１０】
前記照明手段の被写体への光照射の角度を変更する可動手段をさらに備えることを特徴とする請求項１乃至請求項９のいずれかに記載の写真撮影装置。
【請求項１１】
光を面状に照射する写真撮影用のパネル型照明装置であって、
入射面より入射された光を伝搬させて出射面から出射する導光板と、該導光板の入射面に対向する光源と、該光源の出射光を反射して前記導光板の入射面に集光する反射板とを備えることを特徴とするパネル型照明装置。
【請求項１２】
前記導光板は、前記出射面から出射する光を前記出射面の法線方向に拡散させる拡散部と、前記出射面の対向面に伝搬した光を出射面に反射させる反射部とを備えることを特徴とする請求項１１に記載のパネル型照明装置。
【請求項１３】
前記導光板又は前記反射部は、前記出射面の対向面に伝搬した光を散乱させる散乱パターンを備えることを特徴とする請求項１２に記載のパネル型照明装置。
【請求項１４】
光を面状に照射する写真撮影用のパネル型照明装置であって、
箱体と複数の光源とを備えており、
各光源は前記箱体の一内面に配置され、該一内面の対向面から光を出射すべくなしてあることを特徴とするパネル型照明装置。
【請求項１５】
前記光源は点状光源であり、マトリクス状に配置されていることを特徴とする請求項１４に記載のパネル型照明装置。
【請求項１６】
前記光源は線状光源であり、ストライプ状に配置されていることを特徴とする請求項１４に記載のパネル型照明装置。
【発明の詳細な説明】
【０００１】
【発明の属する技術分野】
本発明は、写真撮影装置及びパネル型照明装置に関し、より具体的には、デジタルカメラ等の撮影手段で撮像した被写体の画像を印刷装置にて記録紙上に出力する写真撮影装置、及び該写真撮影装置に好適なパネル型照明装置に関する。
【０００２】
【従来の技術】
近年、ゲームセンター等の娯楽施設において、貨幣等の対価を投入することにより、自動的に写真を撮影し、印刷装置にてシール紙等の記録紙上に画像を印刷して出力する遊技性の高い写真撮影装置が数多く設置されている。
【０００３】
最近では、蛍光灯等の常光灯により被写体の撮影ポーズの画像をモニタで確認しながら、その構図を被写体たる利用者が自由に決定し、撮影時にキセノン発光管等の閃光灯により被写体に高輝度光を照射して鮮明な画像を撮影し、シール紙等の記録紙上に画像を印刷して出力する写真撮影装置が実用化されている（例えば、特許文献１参照。）。
【０００４】
閃光灯として用いられるキセノン発光管は、ガス入り放電管の一種で、透明なガラス管に少量のキセノンを封入して両端に電極を設けたもので、単位時間当たりの光出力が大きく、また、赤外線から紫外線までほぼ一様なスペクトラムを有するため、写真撮影に適した演色性に優れた光を出射できる。従って、閃光灯を備えた写真撮影装置は、色表現性に優れた写真を提供することができる。
【０００５】
ところで、写真撮影に用いる閃光灯としては、点状光源より面状光源の方が望ましいとされている。図１６は光源の種類による被写体への光の照射状態を示す状態図であり、同図（ａ）は点状光源の場合における照射状態を、同図（ｂ）は面状光源の場合における照射状態を、それぞれ示す。点状光源１０１は、その光源が一点であり、あらゆる方向へ均等な強度（輝度）の光を出射するように構成されており、被写体１１０の位置における照度は点状光源１０１と被写体１１０との離隔距離の２乗に反比例して弱くなるため、点状光源１０１から大きく離隔した位置では急激に照度が低下する特徴を有する。また、被写体１１０の鏡面反射によるハイライト部分１０２（白く見せることができる部分）は小さく、被写体１１０の影は本影１０３だけを有する。
【０００６】
一方、面状光源１０６は、その光源が一点ではなく面から光を出射し、且つ指向性を有するように構成されており、その指向性ゆえに、面状光源１０６から大きく離隔した位置における照度は、前述の点状光源１０１の場合のように急激に低下することはない。また、被写体１２０の鏡面反射によるハイライト部分１０７は、面状光源１０６の出射面の面積に応じて広くなり、被写体１２０の影は最も暗い本影１０８と濃淡のある半影１０９とを有する。
【０００７】
従って、ハイライト部分が広くなる面状光源（太陽からの自然光もこれに相当する）は、粗が目立たず、より肌を美しく撮影することができる。シール紙等に出力された写真の美しさの度合いは、利用者の満足度を決定する重要な要素であり、利用者が写真撮影装置を利用する判断基準のひとつである。従って、閃光灯に面状光源を用いるとともに、その面状光源をいかに配置して被写体をより美しく撮影するかが、利用者に受け入れられるか否かを決定する重要な要素である。
【０００８】
通常、写真撮影に好適な面状光源は、複数の点状光源又は線状光源を用いて製作するのが一般的である。特に、人物を撮影する場合には、出射面の面積が大きい照明装置が必要である。図１７は従来の照明装置の構成を示す模式的斜視図であり、図１８は図１７のＸＶＩＩＩ―ＸＶＩＩＩ線における構造断面図である。従来の照明装置は、キセノン発光管等の閃光灯として機能する点状光源１０１，１０１，…を比較的大きな箱体１３０の内部に配置し、一の面（出射面）に乳白色のアクリル板等の拡散板１３１を、その他の面に白色に塗装した反射板１３２をそれぞれ配設した構造をしている。
【０００９】
【特許文献１】
特開２００３−５１９９６号公報
【００１０】
【発明が解決しようとする課題】
前述した従来の照明装置は、点状光源１０１，１０１，…を拡散板１３１の近傍、すなわち箱体１３０の出射面に配置させ、点状光源１０１，１０１，…の出射光を、直接的に拡散板１３１に入射させるのではなく、反射板１３２にて反射（バウンス）させて間接的に拡散板１３１に入射させ、拡散板１３１にて光の進行方向を様々な方向に拡散させて擬似的に平行光を出射するようにしていた。従って、箱体１３０の内部空間が光を反射させる空間として機能するため、輝度均一性が出射面の全域にわたって良くなるように、箱体１３０の内部空間の容積（体積）を大きくさせる、正確には箱体１３０の奥行寸法を大きくさせる必要があった。しかしながら、内部空間の容積を大きくすれば、照明装置の外形が大きくなるため、照明装置の運搬及び組立等の作業効率が悪化するとともに、写真撮影装置における照明装置及び各種装置の配置位置に制約が存在するという問題があった。
【００１１】
また、利用者は写真品質のさらなる向上を要望しており、その要望に応えるために照明装置を様々な位置に配置する傾向にある。しかしながら、従来の照明装置は、内部空間の容積が大きな箱体１３０が必要不可欠であるために、写真撮影装置全体としての外形が巨大になり、写真撮影装置を設置する場所に要するコスト（地代）負担が増大するという問題があった。
【００１２】
さらに、放電時に大電流が流れることにより高輝度の光を出射する閃光灯は、その寿命が一般的に短く、寿命が切れた場合に行う交換作業に要する工数及びコスト面での負担が大きいという問題があった。閃光灯の寿命は一般に発光数で規定されており、１発光あたりに閃光灯に供給する入力エネルギー、すなわち、閃光灯に供給する電力に大きく依存する。閃光灯の寿命は、その利用状態に依存するが、通常数万〜数十万回であり、１回の撮影に１０回の発光を要し、１日に１００回の撮影が行われた場合、数十〜数百日毎に閃光灯を交換する必要があった。
【００１３】
本発明は斯かる事情に鑑みてなされたものであり、出射光の輝度均一性（面内均一性）が優れたパネル型の照明手段を用いることにより、写真撮影装置を小型化するとともに、照明手段の配置位置の制約が緩和され、多様な照明効果を容易に得ることができる写真撮影装置及び該写真撮影装置に好適なパネル型照明装置の提供を目的とする。
【００１４】
また本発明は、複数の光源を備える場合に、一光源あたりに供給する入力エネルギー、すなわち、光源に供給する電力を小さくすることにより、光源の寿命を延命させて、寿命が切れた場合に行う交換作業に要する工数及びコスト面の負担を軽減することができる写真撮影装置及び該写真撮影装置に好適なパネル型照明装置の提供を目的とする。
【００１５】
さらに本発明は、様々な面から被写体へ光照射することにより、利用者が所望する陰影等の照明効果を生じさせたり、また様々な角度から被写体へ光照射することにより、利用者が所望する角度及び陰影等の照明効果を生じさせることができる写真撮影装置の提供を目的とする。
【００１６】
【課題を解決するための手段】
本発明に係る写真撮影装置は、被写体を撮影する撮影手段を備え、該撮影手段により撮影した被写体の画像を記録紙上に出力する写真撮影装置において、前記被写体に光を面状に照射するパネル型の照明手段を備えることを特徴とする。
【００１７】
本発明に係る写真撮影装置は、前記照明手段が、入射面より入射された光を伝搬させて出射面から出射する導光板と、該導光板の入射面に対向する光源と、該光源の出射光を反射して前記導光板の入射面に集光する反射板とを備えることを特徴とする。
【００１８】
本発明に係る写真撮影装置は、前記導光板が、前記出射面から出射する光を前記出射面の法線方向に拡散させる拡散部と、前記出射面の対向面に伝搬した光を出射面に反射させる反射部とを備えることを特徴とする。
【００１９】
本発明に係る写真撮影装置は、前記導光板又は前記反射部が、前記出射面の対向面に伝搬した光を散乱させる散乱パターンを備えることを特徴とする。
【００２０】
本発明に係る写真撮影装置は、前記照明手段が、箱体と複数の光源とを備えており、各光源は前記箱体の一内面に配置され、該一内面の対向面から光を出射すべくなしてあることを特徴とする。
【００２１】
本発明に係る写真撮影装置は、前記光源が点状光源であり、マトリクス状に配置されていることを特徴とする。
【００２２】
本発明に係る写真撮影装置は、前記光源が線状光源であり、ストライプ状に配置されていることを特徴とする。
【００２３】
本発明に係る写真撮影装置は、前記照明手段を複数備えており、各照明手段が同一平面上に配置されていることを特徴とする。
【００２４】
本発明に係る写真撮影装置は、前記被写体の前面、背面、側面、上面、及び下面の少なくともいずれかの面に、前記照明手段が配置されていることを特徴とする。
【００２５】
本発明に係る写真撮影装置は、前記照明手段の被写体への光照射の角度を変更する可動手段をさらに備えることを特徴とする。
【００２６】
本発明に係るパネル型照明装置は、光を面状に照射する写真撮影用のパネル型照明装置であって、入射面より入射された光を伝搬させて出射面から出射する導光板と、該導光板の入射面に対向する光源と、該光源の出射光を反射して前記導光板の入射面に集光する反射板とを備えることを特徴とする。
【００２７】
本発明に係るパネル型照明装置は、前記導光板が、前記出射面から出射する光を前記出射面の法線方向に拡散させる拡散部と、前記出射面の対向面に伝搬した光を出射面に反射させる反射部とを備えることを特徴とする。
【００２８】
本発明に係るパネル型照明装置は、前記導光板又は前記反射部が、前記出射面の対向面に伝搬した光を散乱させる散乱パターンを備えることを特徴とする。
【００２９】
本発明に係るパネル型照明装置は、光を面状に照射する写真撮影用のパネル型照明装置であって、箱体と複数の光源とを備えており、各光源が前記箱体の一内面に配置され、該一内面の対向面から光を出射すべくなしてあることを特徴とする。
【００３０】
本発明に係るパネル型照明装置は、前記光源が点状光源であり、マトリクス状に配置されていることを特徴とする。
【００３１】
本発明に係るパネル型照明装置は、前記光源が線状光源であり、ストライプ状に配置されていることを特徴とする。
【００３２】
本発明に係る写真撮影装置にあっては、被写体に光を面状に照射するパネル型の照明手段を備えることにより、照明手段がパネル型（薄型）であるゆえに、写真撮影装置を小型化することができるとともに、照明手段の配置位置の制約を緩和することができる。また、照明手段が面状光源であることにより、被写体のハイライト部分が広くなり、粗が目立たず、美しい画像を撮影することができる。
【００３３】
本発明に係る写真撮影装置及びパネル型照明装置にあっては、光源から出射された出射光を直接的に、又は反射板によって反射された反射光を間接的に、導光板の入射面に入射して、導光板の出射面から光を出射させる。よって、導光板自体が光伝搬の媒体として機能するため、従来のような光源からの光を反射させる中空の内部空間が不要となり、照明手段（照明装置）を大幅に薄型化及び軽量化することができる。それゆえに、写真撮影装置を小型化することができるとともに、照明手段（照明装置）の配置位置の制約を緩和することができる。
【００３４】
本発明に係る写真撮影装置及びパネル型照明装置にあっては、反射部によって、導光板の出射面の対向面に伝搬した光を出射面方向側に反射させるとともに、拡散部によって、導光板の出射面から出射する光の伝搬方向を出射面の法線方向側に変える。よって、導光板の出射面の対向面に伝搬した光が導光板の外部に漏れるのを防止し、光利用効率を向上させるとともに、法線方向の輝度を向上させ、面状光源としての品質を高めることができる。
【００３５】
本発明に係る写真撮影装置及びパネル型照明装置にあっては、例えば凹凸形状を有する散乱パターンによって、導光板中を出射面とは反対方向に伝搬（進行）する光を、乱雑な方向に散乱（乱反射）させる。よって、出射面内における光の均一性を向上させ、面状光源としての品質を高めることができる。
【００３６】
本発明に係る写真撮影装置及びパネル型照明装置にあっては、複数の光源を箱体の一内面に配置し、その一内面の対向面から光を出射することにより、箱体の容積が小さい面状光源とする。よって、従来のような光源からの光を反射させる中空の内部空間が不要となり、大幅に薄型化することができる。それゆえに、写真撮影装置を小型化することができるとともに、照明手段（照明装置）の配置位置の制約を緩和することができる。また、複数の光源を備えることにより、一光源あたりに供給する入力エネルギー、すなわち、光源に供給する電力を小さくすることにより、光源の寿命を延命させて寿命が切れた場合に行う交換作業に要する工数及びコスト面の負担を軽減することができる。
【００３７】
本発明に係る写真撮影装置及びパネル型照明装置にあっては、マトリクス状に点状光源を配置することにより面状光源とする。よって、点状光源をマトリクス状に配置することで面状光源にするため、従来のような光源からの光を反射させる中空の内部空間が不要となり、大幅に薄型化することができるとともに、出射光の輝度均一性が向上する。
【００３８】
本発明に係る写真撮影装置及びパネル型照明装置にあっては、ストライプ状に線状光源を配置することにより面状光源とする。よって、線状光源をストライプ状に配置することで面状光源にするため、従来のような光源からの光を反射させる中空の内部空間が不要となり、大幅に薄型化することができるとともに、出射光の輝度均一性が向上する。
【００３９】
本発明に係る写真撮影装置にあっては、複数の照明手段が同一平面上に配置されている。一個ではなく、複数の照明手段を同一平面上に配置するようにした方が、光源の数が多い分、輝度の点で有利である。また、照明手段を配置する箇所（位置）には、それぞれに適した大きさのものが必要であるが、複数の照明手段を組み合わせて配置するようにすれば、個別の形状を有する照明手段を製作する必要がなくなるため、照明手段の汎用性が高まる。さらに、複数の照明手段を配置することは、換言すれば各照明手段のサイズを小さくすることに他ならず、照明手段の製造効率及び照明効果が向上する。
【００４０】
本発明に係る写真撮影装置にあっては、照明手段が被写体の前面、背面、側面、上面、及び下面の少なくともいずれかの面に配置される。よって、様々な面から被写体への光照射が可能になり、利用者が所望する陰影等の照明効果を生じさせる撮影が可能になる。
【００４１】
本発明に係る写真撮影装置にあっては、可動手段によって、照明手段の被写体への光照射の角度が変更される。よって、様々な角度から被写体への光照射が可能になり、被写体たる利用者自身が立ち位置を調整することなく、利用者が所望する角度及び陰影等の照明効果を生じさせる撮影が可能になる。
【００４２】
【発明の実施の形態】
以下、本発明をその実施の形態を示す図面に基づいて詳述する。
【００４３】
（実施形態１）
図１は本発明に係る写真撮影装置の一実施の形態としての写真自動販売装置の概略の構成例を示す模式的斜視図である。本発明に係る写真撮影装置１は、被写体２の正面に撮影手段であるデジタルカメラを設けた筐体１０と、筐体１０の両側に本発明に係るパネル型照明装置３０，３０とを備えており、各パネル型照明装置３０は光の出射面を被写体２に対向させた状態で配設されている。また、写真撮影装置１は、被写体２の左右に配置した壁板５ａ，５ｂと、背面、上面、及び下面にそれぞれ配置した壁板５ｃ，５ｄ，５ｅと、外部の光を遮光するカーテン６ａ，６ｂとを備えており、筐体１０、パネル型照明装置３０，３０、壁板５ａ，５ｂ，５ｃ，５ｄ，５ｅ、及びカーテン６ａ，６ｂで囲まれた空間が、被写体２の撮影領域を形成している。
【００４４】
図２は本発明に係る写真撮影装置の正面図であり、図３は図２のＩＩＩ−ＩＩＩ線における断面図である。筐体１０は、複数の支柱及び支柱にビス止めされた複数のパネルを組み合わせることにより外形が構成され、そのパネルの表面及びパネルで構成された領域内部に後述する各種の装置が設けられている。筐体１０の内部には、撮影窓１１から被写体２を撮影して画像データを生成するデジタルカメラ１２と、デジタルカメラ１２から画像データを受信して画像の色相、彩度、及び明度の補正等の画像処理を行なうコンピュータ装置１３と、コンピュータ装置１３から送信された画像処理後の画像データを受信し、受信した画像データに基づいてシール紙等の記録紙上に印刷する印刷装置１４とが設けられている。また、詳細は後述するが、キセノン発光管等の閃光灯に電力を供給する点灯回路１５が筐体１０に設けられている。なお、筐体１０の内部に無停電電源装置を設け、停電が発生した場合においても、バッテリ等により一定時間の間、電力を供給するようにすることが望ましい。
【００４５】
また、筐体１０の被写体対向面の略中央に、被写体２を撮影した画像の表示を行うとともに、撮影した画像にタッチペン等を用いて落書き等の編集を行った画像の表示を行う液晶ディスプレイ等の表示装置１６が設けられている。さらに、表示装置１６の右側に、種々の操作時における確認及び撮影時に押下する撮影／確認ボタン１７ａ、上方向を指示する上方向ボタン１７ｂ、及び下方向を指示する下方向ボタン１７ｃ等によって構成された入力装置１７が設けられている。さらにまた、筐体１０の被写体対向面の下方に、当該写真撮影装置１の利用料金である貨幣を投入する貨幣投入口１８ａ及び釣銭を返却する貨幣返却口１８ｂと、印刷された写真を放出する写真放出口１９と、前述した各種の装置のメンテナンス及び交換を容易にする開閉扉２０とが設けられている。なお、表示装置１６の表面にタッチ入力が可能なタッチパネル等の装置を設けて入力操作の操作性を向上させてもよいし、またスピーカ等の音声出力部を設けて操作手順の音声案内及びその場の雰囲気を盛り上げるようなＢＧＭ等を出力してもよい。
【００４６】
図４は本発明の実施形態１に係るパネル型照明装置の構成の一例を示す模式的斜視図であり、図５は図４のＶ―Ｖ線における構造断面図である。本発明の実施形態１に係るパネル型照明装置３０は、アクリル樹脂等からなる薄厚の導光板３１の一面（出射面）に拡散シート３２を、出射面の対向面（反射面）に反射シート３３を、それぞれ導光板３１に密接して配置し、導光板３１の一側面（入射面）に光を入射すべく線状光源３４を配置したサイドライト（エッジライト）方式の照明装置である。なお、導光板３１の出射面、反射面、及び入射面を除く面にも、光利用効率を向上すべく反射シート３３を導光板３１に密接して配置することが望ましく、本実施例ではそのような形態のものを図示している。
【００４７】
線状光源３４は、例えばキセノン発光管等の瞬間的に高輝度光を出射する光源であり、その出射光は均等な方向に光が出射されるため、線状光源３４と導光板３１との位置関係により直接的に導光板３１へ入射されないものが存在する。そこで、半円形状のＰＥＴフィルムに銀、アルミニウム等の反射率に優れた材料でコーティングされた反射板３５を線状光源３４の周囲に配置し、導光板方向と異なる方向に出射された出射光を反射させて間接的に導光板３１に入射させ、導光板３１への入射効率を高めるようになしてある。
【００４８】
反射シート３３は、銀、アルミニウム等の反射率に優れた材料からできており、さらに、マトリクス状に配列されたドット状の散乱パターンを有している。この散乱パターンは、粗面加工により凹凸を設けたものであり、導光板中を出射面とは反対方向に伝搬（進行）する光を、乱雑な方向に散乱（乱反射）させる機能を有している。なお、この散乱パターンは、光出射量の面内分布が出射面の全域にわたって均一とすべく、線状光源３４の近傍から遠方に向かってドット状のパターンの分布密度を徐々に高くするようにすることが望ましい。また、このような散乱パターンは、ストライプ状のパターンを線状光源３４と平行に配列するような形態であってもよく、この場合においても、線状光源３４の近傍から遠方に向かってストライプ状のパターンの分布密度を徐々に高くなるようにすることが望ましい。
【００４９】
また、導光板中を出射面方向に伝搬する光は、導光板３１の界面にて、その進行角度（出射面の法線に対する角度）が、導光板３１と空気との屈折率差によって決定される臨界角度（アクリル樹脂の場合：略４２度）より小さい場合、屈折したうえで拡散シート３２へと伝搬し、一方、進行角度が、臨界角度より大きい場合、反射（全反射）されて導光板中をさらに伝搬する。導光板中を伝搬する光は、導光板３１の界面に進行する毎に、その進行角度に応じて屈折又は反射のいずれかの選択を繰り返すことにより、最終的に出射面から光を放つ。なお、前述した散乱パターンの分布密度を、線状光源３４からの離隔距離が大きくなるに従って徐々に高くするのは、遠方における導光板中の光密度が低下するのを防止すべく、光を乱反射させる割合を増加させ、出射面内における出射光の輝度均一性を高めるためである。
【００５０】
拡散シート３２は、エンボス加工等の処理が施されており、出射面から出射する光に対して、出射面の法線方向から外れた光を法線方向に拡散することによって法線方向の輝度を向上させ、面状光源としての品質、すなわち輝度均一性を高める機能を有しており、導光板３１から伝搬してきた光は、この拡散シート３２によって法線方向側にその伝搬方向を変える。
【００５１】
このような構成を有するパネル型照明装置３０は、導光板３１が光伝搬の媒体としての機能を有し、従来の照明装置において不可欠であった内部空間が不要となり、大幅に薄型化及び軽量化することが可能である。従って、このパネル型照明装置３０を写真撮影装置１の閃光灯として利用することにより、写真撮影装置１の大幅な省スペース化が実現できるとともに、その薄型化及び軽量化ゆえに、配置位置の制約が緩和され、例えば筐体１０を構成するパネル上に付設させることが可能である。また、パネル型照明装置３０を交換する場合、このパネル型照明装置３０自体を取り替えることにすれば、交換時間が短縮されるとともに、交換作業の負担が軽減される。
【００５２】
なお、導光板３１の出射面の左右の長さが異なる場合は、線状光源３４を導光板３１の長辺側端面に配置させることが望ましく、このようにすることで、出射面の線状光源３４の近傍における出射光量と遠方における出射光量との相違を小さくさせて出射面における輝度均一性の低下を抑制できる。
【００５３】
次に、パネル型照明装置３０に電力を供給する点灯回路１５の構成について説明する。キセノン発光管等の閃光灯として機能する線状光源３４は、撮影の際、すなわち撮影／確認ボタン１７ａの押下の際に、そのタイミングに同期して点灯させる必要がある。従って、点灯回路１５は、撮影／確認ボタン１７ａの押下を識別して撮影開始信号を生成し、生成した撮影開始信号に基づいてトリガ制御信号ＳＩＧを生成し、そのトリガ制御信号ＳＩＧを電力供給のオン／オフを制御するタイミングとすればよく、スイッチング素子としては、例えば、シリコン制御整流素子を用いて、電力を線状光源３４に供給する構成をしている。
【００５４】
図６は点灯回路の構成の一例を示す構成図である。点灯回路１５は、商用交流電源７１より変圧回路７２を経由して所望の高電圧に昇圧し、整流回路７３にて正極性の電圧（電流）成分を抽出し、平滑回路７４にて電圧（電流）の変動（リップル）率を抑える。
【００５５】
変圧回路７２は、例えば、２つの巻線（コイル）から構成され、１次コイルと２次コイルとの巻数の比から昇圧率が決定される変圧器（トランス）とすればよい。また、整流回路７３は、例えば、４つの整流素子を用いたブリッジ回路から構成され、交流の正極成分をそのまま出力し、且つ負極成分を反転して出力する全波整流回路とすればよい。また、平滑回路７４は、例えば、所定の抵抗及びコンデンサ（以下、放電用コンデンサ）から構成され、放電用コンデンサに充放電を繰り返す積分回路とすればよい。もちろん所定の抵抗の代わりに所定のチョークコイルを用いれば抵抗による電力損失をなくすことができる。もちろん、２つの整流素子を用いたそれ自体公知の倍電圧整流回路にて、商用交流電源の交流電圧１００Ｖから直流電圧２８０Ｖを出力するような簡易な構成であってもよい。
【００５６】
そして、平滑回路７４の後段には、線状光源３４の発光をオン／オフ制御するシリコン制御整流素子等のスイッチング素子７５と線状光源３４の放電を開始させるためのトリガ回路７６とが接続されている。スイッチング素子７５は、平滑回路７４の正極性側の出力を入力し、トリガ制御信号ＳＩＧをゲートに入力している。一方、平滑回路７４の負極性側の出力は接地されている。
【００５７】
トリガ回路７６は、例えば、積分回路とトランスとから構成されており、積分回路のコンデンサ（以下、トリガ用コンデンサ）に抵抗を通して充電され、スイッチを入れるとトリガ回路７６のトリガ用コンデンサに充電された電荷がトランスの１次コイル側を通して放電し、２次コイル側に数千Ｖのパルス電圧を発生させる。そして、スイッチング素子７５は、トリガ制御信号ＳＩＧに同期した高圧電流を出力することにより、トリガ電極７７ｔ，カソード電極７７ｃ間でトリガ放電した後、カソード電極７７ｃ，アノード電極７７ａ間の主放電へ移行し、線状光源中のイオン化されたキセノン原子がカソード電極７７ｃより飛び出す電子と衝突することで励起されて発光できるように構成されている。
【００５８】
ところで、閃光灯は、「設計電圧Ｖ」及び「最大入力エネルギーＥ」からなる規格が設定されており、これら規格を満足する放電用コンデンサを用いる必要がある。「設計電圧Ｖ」は満充電時の電圧のことであり、「最大入力エネルギーＥ」は１回の放電で閃光灯に入力しうる（発光管が壊れることのない）最大のエネルギーのことである。従って、点灯回路１５の放電用コンデンサの容量Ｃは、「設計電圧Ｖ」近傍の電圧で、且つ「最大入力エネルギーＥ」を超過することの無きよう決定される。換言すれば、放電用コンデンサは、閃光灯に供給する電力を制限する機能を有する。例えば、「設計電圧Ｖ」が２８０Ｖ、「最大入力エネルギーＥ」が１１０Ｊの閃光灯を用いる場合、放電用コンデンサの容量Ｃは、それ自体公知の関係式Ｅ＝ＣＶ２  ／２より２８００μＦ以下であればよいが、閃光灯の寿命（詳細は後述する）の観点から放電用コンデンサの容量Ｃを小さくすることが望ましい。
【００５９】
なお、本実施形態では、閃光灯として機能する線状光源を利用した形態について説明したが、常光灯として機能する線状光源を利用したものであってもよいし、閃光灯及び常光灯の双方を利用したものであってもよく、線状光源３４の照明形態については限定されるものではない。図７は本発明の実施形態１に係るパネル型照明装置の構成の他の例を示す構造断面図である。同図はパネル型照明装置に用いる光源としてキセノン発光管等の閃光灯及び蛍光灯等の常光灯の双方を用いた場合を示しており、導光板３１の一面（出射面）に拡散シート３２を、出射面の対向面（反射面）に反射シート３３を、それぞれ導光板３１に密接して配置し、導光板３１の一側面（入射面）に光を入射すべく、キセノン発光管等の閃光灯たる線状光源３４ａと蛍光灯等の常光灯たる線状光源３４ｂとを配置したサイドライト方式のパネル型照明装置である。また、反射板３５を線状光源３４ａ，３４ｂの周囲に配置し、導光板方向と異なる方向に出射された各出射光を反射させて間接的に導光板３１に入射させ、導光板３１への入射効率を高めるようになしてある。なお、導光板３１の出射面、反射面、及び入射面を除く面にも、光利用効率を向上すべく反射シート３３を導光板３１に密接して配置することが望ましく、そのような形態のものを図示している。
【００６０】
線状光源３４ａ及び線状光源３４ｂの配置位置については、導光板３１の入射面に対してそれぞれ等距離となるように、線状光源３４ａ及び線状光源３４ｂを入射面から適長離隔した同距離に配置する形態（同図（ａ））、線状光源３４ａを導光板３１の入射面に対向して配置し、その背後に線状光源３４ｂを配置する形態（同図（ｂ））、線状光源３４ｂを導光板３１の入射面に対向して配置し、その背後に線状光源３４ａを配置する形態（同図（ｃ））等、線状光源の照明形態及び配置位置については限定されるものではない。
【００６１】
また、本実施形態では、線状光源３４を導光板３１の一側面（入射面）に配置するエッジライト方式について説明したが、線状光源３４を配置した側面と対向する側面にも、別の線状光源を配置した２灯方式、又は線状光源を出射面の対向面に配置した直下方式のパネル型照明装置等であってもよいことはもちろんである。図８は本発明の実施形態１に係るパネル型照明装置の構成の他の例を示す構造断面図である。同図はパネル型照明装置に用いる光源を導光板の対向する側面にそれぞれ配置した２灯方式の場合を示しており、導光板３１の一面（出射面）に拡散シート３２を、出射面の対向面（反射面）に反射シート３３を、それぞれ導光板３１に密接して配置し、また導光板３１の一側面（第１入射面）にキセノン発光管等の閃光灯たる線状光源３４ａを配置し、さらに第１入射面と対向する側面（第２入射面）に別の線状光源３４ｂを配置した２灯方式のパネル型照明装置である。また、半円形状のＰＥＴフィルムに銀、アルミニウム等の反射率に優れた材料でコーティングされた反射板３５ａを線状光源３４ａの周囲に配置し、且つ同様な機能を有する反射板３５ｂを線状光源３４ｂの周囲に配置し、導光板方向と異なる方向に出射されたそれぞれの出射光を反射させて間接的に導光板３１に入射させ、導光板３１への入射効率を高めるようになしてある。なお、導光板３１の出射面、反射面、第１入射面、及び第２入射面を除く面にも、光利用効率を向上すべく反射シート３３を導光板３１に密接して配置することが望ましい。
【００６２】
２灯方式の場合は、互いに対向している入射面が２面あり、前述した反射シート３３に設けた散乱パターンは、出射面内における出射光の輝度均一性を高めるべく、各光源の近傍から遠方に向かってパターンの分布密度を徐々に高くし、中央で最も分布密度が高くなるパターンとすることが望ましい。さらに、この２灯方式の場合、一方が閃光灯、他方が常光灯であるような形態であってもよい。
【００６３】
また、本実施形態では、出射面の面積が大きい導光板３１を用い、一つのパネル型照明装置を写真撮影装置１に配置（より正確には筐体の左右に２つ配置）した形態について説明したが、前述したエッジライト方式、２灯方式等のパネル型照明装置を複数配置した形態であってもよいことはもちろんである。図９は本発明の実施形態１に係るパネル型照明装置の構成の他の例を示す模式的平面図である。なお、分かり易くするために、導光板と線状光源との配置関係のみを示すが、それぞれの構成は前述したものと同等である。同図（ａ）に示すように、導光板３１を１個ではなく、複数個を組み合わせて光の出射面を構成し、各導光板３１の上側面に線状光源３４ａを、下側面に線状光源３４ｂをそれぞれ配置するような形態、換言すれば、前述した２灯方式のパネル型照明装置を複数配置するような形態であってもよい。また、同図（ｂ）に示すように、導光板３１を１個ではなく、複数個を組み合わせて光の出射面を構成し、隣り合う導光板３１の間隙領域に線状光源３４を配置するような形態、換言すれば、前述したエッジライト方式のパネル型照明装置を複数配置するような形態であってもよい。
【００６４】
通常、写真撮影装置１は、被写体２たる人物と同等以上の高さ（約２ｍ）を有しており、出射面の面積が大きい１つのパネル型照明装置を用いた場合には、十分な光の強度を得ることができない虞がある。従って、出射面の面積が小さい複数のパネル型照明装置を組み合わせて用いることで、光の強度を確保することができる。また、パネル型照明装置を配置する箇所（位置）には、それぞれに適した大きさの照明装置が必要であるが、出射面の面積が小さいパネル型照明装置を組み合わせて配置するようにすれば、個別の形状を有するパネル型照明装置を製作する必要がなくなる。さらに、複数個のパネル型照明装置を配置することは、換言すればそれぞれのパネル型照明装置のサイズを小さくすることになり、パネル型照明装置の製造効率及び照明効果が向上する。
【００６５】
さらに、本実施形態では、演色性に優れた白色光を出射する形態について説明したが、導光板３１にカラーフィルタを貼付したり、導光板３１自体に色素を混合したり、所望の色成分（波長）の光を出射するようなパネル型照明装置であってもよく、このようなパネル型照明装置を用いれば、自然では創出できないような幻想的な色空間を創造することができる。もちろん、ガラス管を着色したり、ガラス管に封入するガス分子の組成を調整したりして、光源自体が所望の色成分の光を出射するようにしてもよい。なお、これらの色空間に関しては利用者自身が自由に設定できるようにすればなおよい。
【００６６】
さらにまた、本実施形態では、導光板３１の出射面に拡散シート３２を、反射面に反射シート３３を、それぞれ導光板３１に密接して配置した形態について説明したが、導光板３１の表面に、エンボス加工等の処理を行って拡散部とし、対向面にドット状又はストライプ状の散乱パターンを形成した後に、銀、アルミニウム等の反射率に優れた材料でコーティング処理を行って反射部とするような形態であってもよい。
【００６７】
（実施形態２）
図１０は本発明の実施形態２に係るパネル型照明装置の構成の一例を示す模式的斜視図であり、図１１は図１０のＸＩ―ＸＩ線における構造断面図である。なお、写真撮影装置の全体の概略については、実施形態１と同様であるため説明を省略する。本発明の実施形態２に係るパネル型照明装置５０は箱体５１を備えており、箱体５１の一内面（底面）に複数の点状光源５２，５２，…をマトリクス状に配置し、さらに底面の対向面（出射面）に乳白色のアクリル板５３を配置した直下方式の照明装置である。すなわち、点状光源５２，５２，…を箱体５１の底面に平面的に敷き詰め、アクリル板５３によって点状光源５２，５２，…からの出射光の伝搬方向を拡散させ、出射面から面状光源と同等の光を出射する。
【００６８】
点状光源５２，５２，…は、例えばキセノン発光管等の瞬間的に高輝度の光を出射する閃光灯であり、その点状光源５２，５２，…がマトリクス状に敷き詰めて配置されている。もちろん、箱体５１の内面に反射板を配置し、各点状光源５２，５２，…からの出射光中、出射面方向と異なる方向に出射された出射光を反射させて出射効率を高めるようにしてあってもよい。なお、各点状光源５２，５２，…に電力を供給する点灯回路は実施形態１にて説明したものと同様であり、その詳細な説明を省略する。
【００６９】
このような構成を有するパネル型照明装置５０は、点状光源５２，５２，…を箱体５１の底面に敷き詰め、点状光源５２，５２，…からの光を直接的に出射面から出射することにより、従来の照明装置において不可欠であった反射のための内部空間が不要となり、大幅に薄型化することが可能である。つまり、従来の照明装置は点状光源を箱体の出射面側に配置し、出射面の対向面側に反射のための内部空間を必要としたが、本実施形態に係るパネル型照明装置５０は、複数の点状光源５２，５２，…を出射面の対向面である箱体の底面側に配置することにより内部空間を不要にした。従って、このパネル型照明装置５０を写真撮影装置１の閃光灯として利用することにより、写真撮影装置１の大幅な省スペース化の実現、すなわち筐体を小型化することができる。さらに、パネル型照明装置５０は、複数の点状光源５２，５２，…（点状光源数をｎとする）を備えているため、たとえ１個の点状光源が発光不良となったとしても、光量の低下量が１／ｎであり、写真品質の大幅な低下を抑制することができる。
【００７０】
ところで、放電時に大電流が流れることにより高輝度の光を出射する閃光灯は、その寿命が一般的に短く、寿命が切れた場合に行う交換作業に要する工数及びコスト面での負担が大きい。閃光灯の寿命は一般に発光数で規定されており、１発光あたりに閃光灯に供給する入力エネルギー、すなわち、閃光灯に供給する電力に大きく依存する。
【００７１】
図１２は閃光灯の寿命特性を示すグラフである。横軸は閃光灯に供給する電力を示し、縦軸は閃光灯の発光数、すなわち閃光灯の寿命を示す。点状光源５２として用いた閃光灯の寿命は、閃光灯に供給する電力が増加するに従って著しく短くなることを示している。換言すれば、閃光灯に供給する電力を減少させた場合、閃光灯の寿命を大幅に延ばすことができるともいえる。
【００７２】
従って、パネル型照明装置５０の光量は点状光源５２の１個当たりの光量と点状光源数ｎとの積により決定されるが、点状光源数ｎを多くし、点状光源５２の１個当たりの光量を小さくすることにより、写真撮影に必要とされる光量を確保する方が望ましい。このように各点状光源５２に供給する入力エネルギーを小さくすることにより、点状光源５２の寿命を長く、すなわち発光数を多くして、寿命切れ等により点状光源５２，５２，…を交換する際のメンテナンス費用を削減できる。
【００７３】
なお、本実施形態では、箱体５１に複数の点状光源５２，５２，…をマトリクス状に配置した形態について説明したが、箱体に複数の線状光源をストライプ状に配置した形態であってもよいことは言うまでもなく、また、マトリクス状に配置された複数の点状光源と、ストライプ状に配置された複数の線状光源とから構成される形態であってもよい。
【００７４】
また、本実施形態では、光源がキセノン発光管等の閃光灯である形態について説明したが、光源が蛍光灯等の常光灯である形態であってもよいし、閃光灯及び常光灯の双方をそれぞれ配置した形態であってもよい。さらに、実施形態１と同様に、ガラス管を着色したり、ガラス管に封入するガス分子の組成を調整したりして、光源自体が所望の色成分の光を出射するようにしてもよい。
【００７５】
なお、各実施形態では、パネル型照明装置を筐体１０、すなわちデジタルカメラ１２の両側に配置した写真撮影装置１の形態について説明したが、これに限定されるものではないことは言うまでもない。図１３は本発明に係る写真撮影装置の筐体の他の例を示す模式的斜視図であり、同図（ａ）はパネル型照明装置をデジタルカメラ近傍の直下に配置した場合を、同図（ｂ）はパネル型照明装置をデジタルカメラ近傍の直上に配置した場合を、それぞれ示す。前述したように本発明に係るパネル型照明装置３０（又は５０）は、その特徴である薄型且つ軽量のため、配置位置の制約が緩和され、筐体１０を構成するパネル上に付設させることが可能になるため、デジタルカメラ１２近傍の直上（同図（ａ））に、デジタルカメラ１２近傍の直下（同図（ｂ））に、配置することが可能であり、写真撮影装置１の全体のサイズを小さくすることができる。なお、各構成要素は、その位置関係が相違しているが、実施形態１にて説明したものと同様の機能を有するものであるので、対応する部分には同一の符号を付してその詳細な説明を省略する。
【００７６】
また、各実施形態では、パネル型照明装置を被写体２の前面に配置した写真撮影装置１の形態について説明したが、これに限定されるものではないことは言うまでもない。図１４は本発明に係る写真撮影装置の全体構成の他の例を示す模式的斜視図である。同図（ａ）はパネル型照明装置を被写体の側面に配置した場合を、同図（ｂ）はパネル型照明装置を被写体の背面に配置した場合を、同図（ｃ）はパネル型照明装置を被写体の上面（天井）に配置した場合を、同図（ｄ）はパネル型照明装置を被写体の下面（床下）に配置した場合を、それぞれ示す。前述と同様に本発明に係るパネル型照明装置３０（又は５０）は、その特徴である薄型且つ軽量のため、配置位置の制約が緩和され、被写体２の側面（同図（ａ））に、被写体２の背面（同図（ｂ））に、被写体２の上面（同図（ｃ））に、被写体２の下面（同図（ｄ））等に、配置することが可能であり、被写体２の前後、左右、又は上下から被写体２を照射する面状光源が得られるとともに、その薄型及び軽量の特徴により設置作業の簡易化が実現できる。なお、各構成要素は、その位置関係が相違しているが、実施形態１にて説明したものと同様の機能を有するものであるので、対応する部分には同一の符号を付してその詳細な説明を省略する。もちろん、同図（ａ）〜同図（ｄ）のそれぞれを組み合わせて、複数の面から被写体２を照射するような形態であってもよいことは言うまでもない。
【００７７】
また、パネル型照明装置を筐体１０の両側に固定的に配置した写真撮影装置１の形態について説明したが、これに限定されるものではないことは言うまでもない。図１５は本発明に係る写真撮影装置の他の例を示す模式的斜視図である。なお、分かり易くするために、被写体２の撮影領域を形成する壁板等を省略して示している。同図に示すように、パネル型照明装置３０（又は５０）と筐体１０とをヒンジ６０，６０を介して係合し、ヒンジ軸６０ａを軸中心に回動（回動方向の例として、図中矢印Ｚに示す）できように構成し、ヒンジ６０が可動手段として機能するような形態であってもよい。このように、可動手段であるヒンジ６０を設けることにより、被写体２に照射される光が様々な角度から照射できる。また、回動方法は手動又は自動のいずれであってもよく、パネル型照明装置３０（又は５０）が軸中心に回動するようにすれば、被写体２の位置を調整することなく、利用者が所望する角度にパネル型照明装置３０（又は５０）を回動させ、所望の陰影が現れる撮影が可能になり、撮影した映像効果の自由度が高まる。もちろん、回動方法を自動化する場合は、利用者が所望する条件を入力装置１７にて受け付け、受け付けた条件に基づいて角度を制御するようにすればさらによい。
【００７８】
さらに、印刷装置１４が筐体１０内に設けられた形態について説明したが、これに限定されるものではなく、印刷装置１４を別体に設けてもよい。その際には、筐体１０側で生成した画像データを、通信装置を介して別体側の印刷装置１４へ送信し、受信した画像データに基づいて記録紙上に印刷する構成とすればよい。
【００７９】
【発明の効果】
以上詳述した如く本発明によれば、被写体に光を面状に照射する輝度均一性が優れたパネル型の照明手段を用いることにより、写真撮影装置が小型化されるとともに、照明手段の配置位置の制約が緩和され、多様な照明効果を容易に得ることができる。
【００８０】
また本発明によれば、光源から出射された出射光を直接的に、又は反射板によって反射された反射光を間接的に、導光板の入射面に入射して、出射面から光を出射させるパネル型の照明手段を用いた場合、出射光の輝度均一性が優れるとともに、導光板自体が光伝搬の媒体として機能するため、従来のような光源からの光を反射させる中空の内部空間が不要となり、大幅に薄型化及び軽量化することができる。また、箱体に必要な容積を小さくすべく、複数の光源を箱体の出射面の対向面に敷き詰めて配置したパネル型の照明手段を用いた場合も同様に、従来のような光源からの光を反射させる中空の内部空間が不要となり、大幅に薄型化することができる。従って、写真撮影装置全体としての外形を小さくすることができ、写真撮影装置を設置する場所に要するコスト（地代）負担を抑制することができる。
【００８１】
さらに本発明によれば、複数の光源を備える場合に、一光源あたりに供給する入力エネルギー、すなわち、光源に供給する電力を小さくすることにより、光源の寿命を延命させて、寿命が切れた場合に行う交換作業に要する工数及びコスト面の負担を軽減することができる。
【００８２】
さらにまた本発明によれば、パネル型の照明手段が被写体の前面、背面、側面、上面、及び下面の少なくとも一面に配置されることにより、様々な面から被写体へ光照射することができる。従って、利用者が所望する陰影等の照明効果を生じさせることができる。また、パネル型の照明手段の被写体への光照射の角度を変更する可動手段を備えることにより、様々な角度から被写体へ光照射することができる。従って、利用者が所望する角度及び陰影等の照明効果を生じさせることができる等、優れた効果を奏する。
【図面の簡単な説明】
【図１】本発明に係る写真撮影装置の一実施の形態としての写真自動販売装置の概略の構成例を示す模式的斜視図である。
【図２】本発明に係る写真撮影装置の正面図である。
【図３】図２のＩＩＩ−ＩＩＩ線における断面図である。
【図４】本発明の実施形態１に係るパネル型照明装置の構成の一例を示す模式的斜視図である。
【図５】図４のＶ―Ｖ線における構造断面図である。
【図６】点灯回路の構成の一例を示す構成図である。
【図７】本発明の実施形態１に係るパネル型照明装置の構成の他の例を示す構造断面図である。
【図８】本発明の実施形態１に係るパネル型照明装置の構成の他の例を示す構造断面図である。
【図９】本発明の実施形態１に係るパネル型照明装置の構成の他の例を示す模式的平面図である。
【図１０】本発明の実施形態２に係るパネル型照明装置の構成の一例を示す模式的斜視図である。
【図１１】図１０のＸＩ―ＸＩ線における構造断面図である。
【図１２】閃光灯の寿命特性を示すグラフである。
【図１３】本発明に係る写真撮影装置の筐体の他の例を示す模式的斜視図である。
【図１４】本発明に係る写真撮影装置の全体構成の他の例を示す模式的斜視図である。
【図１５】本発明に係る写真撮影装置の全体構成の他の例を示す模式的斜視図である。
【図１６】光源の種類による被写体への光の照射状態を示す状態図である。
【図１７】従来の照明装置の構成を示す模式的斜視図である。
【図１８】図１７のＸＶＩＩＩ―ＸＶＩＩＩ線における構造断面図である。
【符号の説明】
１  写真撮影装置
２  被写体
１０  筐体
１１  撮影窓
１２  デジタルカメラ
１３  コンピュータ装置
１４  印刷装置
１５  点灯回路
１６  表示装置
１７  入力装置
３０  パネル型照明装置
３１  導光板
３２  拡散シート
３３  反射シート
３４，３４ａ，３４ｂ  線状光源
３５  反射板
５０  パネル型照明装置
５１  箱体
５２  点状光源
５３  アクリル板
６０  ヒンジ
【図１】
2005003820.tif 000003
【図２】
2005003820.tif 000004
【図３】
2005003820.tif 000005
【図４】
2005003820.tif 000006
【図５】
2005003820.tif 000007
【図６】
2005003820.tif 000008
【図７】
2005003820.tif 000009
【図８】
2005003820.tif 000010
【図９】
2005003820.tif 000011
【図１０】
2005003820.tif 000012
【図１１】
2005003820.tif 000013
【図１２】
2005003820.tif 000014
【図１３】
2005003820.tif 000015
【図１４】
2005003820.tif 000016
【図１５】
2005003820.tif 000017
【図１６】
2005003820.tif 000018
【図１７】
2005003820.tif 000019
【図１８】
2005003820.tif 000020